【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
１画素中の濃度値を第１の階調数で段階的に表現した第１濃度値データから、前記第１の階調数よりも少ない第２の階調数で表現した第２濃度値データへの変換を行う画像処理方法であって、
前記変換の対象となる注目画素が中間調画像の一部であれば、その周辺画素の第２濃度値データからの濃度値の変位が少なくなるように、その注目画素の前記第２濃度値データを導出することを特徴とする画像処理方法。
【請求項２】
注目画素の濃度値データを入力し、所定の閾値と比較することによって、第２濃度値データに変換する工程を有し、
前記閾値は、前記変換の対象となる注目画素が中間調画像の一部であれば、その周辺画素の第２濃度値データと比べた場合の濃度値の変位が少なくなるように、周辺画素の第２濃度値データに従って変化させることを特徴とする請求項１に記載の画像処理方法。
【請求項３】
注目画素が文字画像の一部であるか、中間調画像の一部であるかを判断する工程を更に設けたことを特徴とする請求項１又は２に記載の画像処理方法。
【請求項４】
前記第１濃度値データから第２濃度値データへの変換が２値化であって、
２値化の結果、同じ濃度値を有する画素が連続するように２値化を制御する２値化制御工程を有することを特徴とする請求項１、２又は３に記載の画像処理方法。
【請求項５】
１画素中の濃度値を第１の階調数で段階的に表現した第１濃度値データから、前記第１の階調数よりも少ない第２の階調数で表現した第２濃度値データへの変換を行う画像処理方法であって、
前記変換の対象となる注目画素が中間調画像の一部であれば、その周辺画素の第２濃度値データからの濃度値の変位が少なくなるように、変換後の注目画素の前記第２濃度値データを補正することを特徴とする画像処理方法。
【請求項６】
前記第１濃度値データから第２濃度値データへの変換が２値化であって、
２値化の結果、濃度を有する画素が所定密度以上で点在する部分については、前記点在する画素が所定の箇所に集中するようにデータ変換を行うことを特徴とする請求項５に記載の画像処理方法。
【請求項７】
１画素中の濃度値を第１の階調数で段階的に表現した第１濃度値データから、前記第１の階調数よりも少ない第２の階調数で表現した第２濃度値データへの変換を行う画像処理装置であって、
前記変換の対象となる注目画素が中間調画像の一部であれば、その周辺画素の第２濃度値データからの濃度値の変位が少なくなるように、その注目画素の前記第２濃度値データを導出する階調数変換手段を有することを特徴とする画像処理装置。
【請求項８】
１画素中の濃度値を第１の階調数で段階的に表現した第１濃度値データから、前記第１の階調数よりも少ない第２の階調数で表現した第２濃度値データへの変換を行う画像処理装置であって、
注目画素の濃度値データを入力し、所定の閾値と比較することによって、第２濃度値データに変換する階調数変換手段を有し、
前記階調数変換手段は、
前記注目画素が中間調画像に属する場合には、前記閾値を、注目画素の第２濃度値データを周辺画素の第２濃度値データと比べた場合に濃度値の変位が少なくなるように、周辺画素の第２濃度値データに従って変化させる閾値制御手段を含むことを特徴とする画像処理装置。
【請求項９】
前記階調数変換手段は、
前記周辺画素の前記第１濃度値データと前記第２濃度値データとの差を階調数変換誤差として算出する誤差算出手段と、
該誤差算出手段で求められた階調数変換誤差により、前記注目画素の第１濃度値データを補正する補正手段と、
前記補正手段による補正後の前記注目画素の第１濃度値データを、前記閾値と比較する比較手段と、
を備えることを特徴とする請求項８に記載の画像処理装置。
【請求項１０】
注目画素が文字画像部分に属するか、中間調画像部分に属するかを判定する像域判定手段を更に有することを特徴とする請求項７、８または９に記載の画像処理装置。
【請求項１１】
前記第１濃度値データから第２濃度値データへの変換が２値化であって、
前記階調数変換手段は２値化の結果同じ濃度値を有する画素が連続するように、２値化を制御することを特徴とする請求項７乃至１０のいずれかに記載の画像処理装置。
【請求項１２】
１画素中の濃度値を第１の階調数で段階的に表現した第１濃度値データから、前記第１の階調数よりも少ない第２の階調数で表現した第２濃度値データへの変換を行う画像処理装置であって、
前記変換の対象となる注目画素が中間調画像の一部であれば、その周辺画素の第２濃度値データからの濃度値の変位が少なくなるように、変換後の注目画素の前記第２濃度値データを補正する補正手段を有することを特徴とする画像処理装置。
【請求項１３】
前記第１濃度値データから第２濃度値データへの変換が２値化であって、
２値化の結果、濃度を有する画素が所定密度以上で点在する部分については、前記点在する画素が所定の箇所に集中するようにデータ変換を行うことを特徴とする請求項１２に記載の画像処理装置。
【請求項１４】
１画素中の濃度値を第１の階調数で段階的に表現した第１濃度値データから、前記第１の階調数よりも少ない第２の階調数で表現した第２濃度値データへの変換を行うプログラムが格納された記憶媒体であって、
前記プログラムは、コンピュータに、
注目画素が文字画像の一部であるか、中間調画像の一部であるかを判断する工程と、
前記変換の対象となる注目画素が中間調画像の一部であれば、その周辺画素の第２濃度値データからの濃度値の変位が少なくなるように、その注目画素の前記第２濃度値データを導出する工程と、
を実行させることを特徴とする記憶媒体。
【請求項１５】
前記プログラムが、
注目画素の濃度値データを入力し、所定の閾値と比較することによって、第２濃度値データに変換する工程と、
前記変換の対象となる注目画素が中間調画像の一部であれば、その周辺画素の第２濃度値データと比べた場合の濃度値の変位が少なくなるように、周辺画素の第２濃度値データに従って前記閾値を変化させる工程とを更にコンピュータに実行させることを特徴とする請求項１４に記載の記憶媒体。
【請求項１６】
１画素中の濃度値を第１の階調数で段階的に表現した第１濃度値データから、前記第１の階調数よりも少ない第２の階調数で表現した第２濃度値データへの変換を行うプログラムが格納された記憶媒体であって、
前記プログラムは、コンピュータに、
前記変換の対象となる注目画素が中間調画像の一部であれば、その周辺画素の第２濃度値データからの濃度値の変位が少なくなるように、変換後の注目画素の前記第２濃度値データを補正する工程を実行させることを特徴とする記憶媒体。
【請求項１７】
前記第１濃度値データから第２濃度値データへの変換が２値化であって、
前記プログラムは、
２値化の結果、濃度を有する画素が所定密度以上で点在する部分については、前記点在する画素が所定の箇所に集中するようにデータ変換を行う工程を更にコンピュータに実行させることを特徴とする請求項１６に記載の記憶媒体。
【手続補正２】
【補正対象書類名】明細書
【補正対象項目名】０００６
【補正方法】変更
【補正の内容】
【０００６】
【課題を解決するための手段】
上記目的を達成するため、本発明にあっては
１画素中の濃度値を第１の階調数で段階的に表現した第１濃度値データから、前記第１の階調数よりも少ない第２の階調数で表現した第２濃度値データへの変換を行う画像処理方法であって、
前記変換の対象となる注目画素が中間調画像の一部であれば、その周辺画素の第２濃度値データからの濃度値の変位が少なくなるように、その注目画素の前記第２濃度値データを導出することを特徴とする。


【手続補正３】
【補正対象書類名】明細書
【補正対象項目名】００１２
【補正方法】変更
【補正の内容】
【００１２】
一方、本発明は、１画素中の濃度値を第１の階調数で段階的に表現した第１濃度値データから、前記第１の階調数よりも少ない第２の階調数で表現した第２濃度値データへの変換を行う画像処理装置であって、
前記変換の対象となる注目画素が中間調画像の一部であれば、その周辺画素の第２濃度値データからの濃度値の変位が少なくなるように、その注目画素の前記第２濃度値データを導出する階調数変換手段を有することを特徴とする。


【手続補正４】
【補正対象書類名】明細書
【補正対象項目名】００１４
【補正方法】変更
【補正の内容】
【００１４】
前記階調数変換手段が、
前記周辺画素の前記第１濃度値データと前記第２濃度値データとの差を階調数変換誤差として導く誤差算出手段と、
該誤差算出手段で求められた階調数変換誤差により、前記注目画素の第１濃度値データを補正する補正手段と、
前記補正手段による補正後の前記注目画素の第１濃度値データを、前記閾値と比較する比較手段と、
を備えることは好適である。


【手続補正５】
【補正対象書類名】明細書
【補正対象項目名】００１９
【補正方法】変更
【補正の内容】
【００１９】
又、本発明は１画素中の濃度値を第１の階調数で段階的に表現した第１濃度値データから、前記第１の階調数よりも少ない第２の階調数で表現した第２濃度値データへの変換を行うプログラムが格納された記憶媒体であって、
前記プログラムは、コンピュータに、
注目画素が文字画像の一部であるか、中間調画像の一部であるかを判断する工程と、
前記変換の対象となる注目画素が中間調画像の一部であれば、その周辺画素の第２濃度値データからの濃度値の変位が少なくなるように、その注目画素の前記第２濃度値データを導出する工程と、
を実行させることを特徴とする。


【手続補正６】
【補正対象書類名】明細書
【補正対象項目名】００２０
【補正方法】変更
【補正の内容】
【００２０】
前記プログラムが、
注目画素の濃度値データを入力し、所定の閾値と比較することによって、第２濃度値データに変換する工程と、
前記変換の対象となる注目画素が中間調画像の一部であれば、その周辺画素の第２濃度値データと比べた場合の濃度値の変位が少なくなるように、周辺画素の第２濃度値データに従って前記閾値を変化させる工程とを更にコンピュータに実行させることは好適である。


【手続補正７】
【補正対象書類名】明細書
【補正対象項目名】００２１
【補正方法】変更
【補正の内容】
【００２１】
又、１画素中の濃度値を第１の階調数で段階的に表現した第１濃度値データから、前記第１の階調数よりも少ない第２の階調数で表現した第２濃度値データへの変換を行うプログラムが格納された記憶媒体であって、
前記プログラムは、コンピュータに、
前記変換の対象となる注目画素が中間調画像の一部であれば、その周辺画素の第２濃度値データからの濃度値の変位が少なくなるように、変換後の注目画素の前記第２濃度値データを補正する工程を実行させることを特徴とする。